(57)【要約】【課題】  カードを選んだ観者とは別の観者自身にカード当て役を演じさせて手品の不思議さや面白さを増大させることができる手品用具を提供する。【解決手段】カード２１〜２５の裏面２１ｂ〜２５ｂには各々反射領域３１とダミー領域３２とが形成されている。反射領域３０は入射した光Ｌをその光Ｌが入射した向きとは逆向きに反射する再帰反射機能を有する領域であり、ダミー領域３２は反射領域３１と外観は同じであるが再帰反射機能を有さない領域である。演者は、カード選び役の人に１枚のカードを選んでもらい、選ばれなかったカード２１〜２４の反射領域３１には光Ｌが照射されない状態にする。カード当て役の人は、カード２１〜２５の裏面２１ｂ〜２５ｂに光源装置４０からの光Ｌを照射しながらカード２１〜２５を見る。すると、選ばれたカード２５の反射領域３１だけが光るので、そのカード２５が選ばれたカードであることをカード選び役の人だけにこっそり知らせることができる。【選択図】  図１
2013000194.tif 000002
【特許請求の範囲】
【請求項１】
光源装置と複数の選択要素とからなり、当該複数の選択要素は外見上は同じでありながら反射領域を有している選択要素と当該反射領域を有していない選択要素とからなり、前記光源装置を保持した者だけが前記反射領域からの反射光を認識できるように構成した手品用具。
【請求項２】
前記選択要素はカード又は立体物であり、各選択要素には前記反射領域及び外見上は前記反射領域と同じに見えるデザインを施し、特定の選択要素だけその向き又は姿勢を変えることにより、前記光源装置を保持した者だけが前記反射領域からの反射光を認識して特定の選択要素を他の選択要素と区別できるようにした請求項１に記載の手品用具。
【発明の詳細な説明】
【技術分野】
【０００１】
本発明は、相手が選んだ１つの選択要素を複数の選択要素の中から当てる手品用具、例えば、相手が選んだ１枚のカードを複数のカードの中から当てるカード当てトリック手品用具などに関する。
【背景技術】
【０００２】
カード当てトリック手品用具として、複数枚のテーパカードと、当該複数枚のテーパカードを出し入れ可能に収納するケースとを使用するものがある。この種の手品用具は、複数枚のテーパカードの中から１枚のカードを相手に選んでもらい、その選ばれた１枚のカードを残りのカードと上下を逆にして重ね、この状態で全てのカードをケースに収納した後、ケースからカードを取り出す操作を行うと、相手が選んだ１枚のカードのみがケースに残る仕組みになっている。この種の手品用具を使用することにより、複数枚のカードの中から相手が選んだ１枚のカードを当てる手品を誰でも簡単に行うことができる。（特許文献１）
【先行技術文献】
【特許文献】
【０００３】
【特許文献１】特開平１０−２８７８３号
【発明の概要】
【発明が解決しようとする課題】
【０００４】
しかし、上述した従来のカード当てトリック手品用具では、手品実演の過程でカードをケースに収納してから取り出す操作を行うため、カードをケースに収納したときに何らかの仕掛けが働いたのだろうという印象を観者に与えてしまい、手品の不思議さや面白さを減じてしまう。また、カードをケースから取り出す操作は専ら演者が行う必要があり、観者自身にカード当ての役割を演じさせることはできない。
【０００５】
本発明は、斯かる実情に鑑み創案されたものであり、その目的は、手品実演の過程でカードなど選択要素をケースに収容する操作が不要であり、選択要素を選んだ観者とは別の観者等にその選択要素を当てる役割を演じさせて手品の不思議さや面白さを増大させることができる手品用具を提供することにある。
【課題を解決するための手段】
【０００６】
［手品用具］
上記目的を達成するべく、本発明の手品用具は、光源装置と複数の選択要素とからなり、当該複数の選択要素は外見上は同じでありながら反射領域を有している選択要素と当該反射領域を有していない選択要素とからなり、前記光源装置を保持した者だけが前記反射領域からの反射光を認識できるように構成したものである。
上記のように構成された手品用具によれば、反射領域を有している選択要素と有していない選択要素とを区別するための情報を光源装置を保持した者だけにこっそり伝達することができる。したがって、たとえば、選択要素を選んだ観者とは別の者に光源装置を保持させることにより、選ばれた選択要素がどれであるかをその反射領域からの反射光により当該別の者だけにこっそり伝達することができる。
【０００７】
本発明の手品用具によれば、手品実演の過程で選択要素をケースに収納してから取り出す操作を行う必要がない。このため、従来の手品用具のように、選択要素をケースに収納したときに何らかの仕掛けが働いたのだろうという印象を観者に与えてしまうことはない。また、選ばれた選択要素がどれであるかを、光源装置を保持している人だけに情報をこっそり伝達できるので、手品の不思議さや面白さを増大させることができる。
【０００８】
本発明の手品用具において、前記選択要素はカード又は立体物であり、各選択要素には前記反射領域及び外見上は前記反射領域と同じに見えるデザインを施し、特定の選択要素だけその向き（表裏など）或いは姿勢（上下など）を変えることにより、前記光源装置を保持した者だけが前記反射領域からの反射光を認識して特定の選択要素を他の選択要素と区別できるように構成されていることが望ましい。
【０００９】
本発明の手品用具には、複数枚のカードと、当該カードの裏面に光を照射するための光源装置とを有し、前記カードの裏面には各々反射領域とダミー領域とが形成されており、前記反射領域は入射した光をその光が入射した向きとは反対の向きに反射する再帰反射機能を有する領域であり、前記ダミー領域は、前記反射領域と外観は同じであるが再帰反射機能を有さない領域であり、前記複数枚のカードの中から少なくとも１枚のカードを選ばせた後、選ばれなかったカードの前記反射領域には前記光源装置からの光が照射されない状態にすることで、選ばれたカードの前記反射領域のみ光らせて、当該カードが選ばれたカードであることを知らせるように構成したものが含まれる。前記光は単色光であることが望ましい。
【００１０】
上記のように構成された手品用具によれば、たとえば、以下のステップ１〜５の手順により誰でも簡単にカード当てトリック手品を行うことができる。
ステップ１：演者は、カード選び役の観者（観者の１人）に複数枚の全てのカードの表面を見せて、その中から少なくとも１枚のカードを選んでもらう。
ステップ２：演者は、選ばれなかったカードの反射領域には光源装置からの光が照射されない状態にして、複数枚の全てのカードの裏面側を、カード当て役の観者（カードを選んだ観者とは別の観者）に見せる。
ステップ３：カード当て役の観者の顔の近くに光源装置を配置して、カードの裏面に光源装置からの光を照射する。選ばれなかったカードの反射領域には光源装置からの光が照射されないため、カード当て役の観者は、選ばれたカードの反射領域のみ光るのを視認できる。
ステップ４：カード当て役の観者は、反射領域が光ったカードを指摘する。
ステップ５：演者は、カード当て役の観者が指摘したカードを抜き取って、その表面をカード選び役の観者に見せ、そのカードが確かに選ばれたカードであることを確認する。
【００１１】
本発明の手品用具において、前記カードには、前記反射領域及び前記ダミー領域が形成されていないカードの裏面に、再帰反射機能を有する反射シールと、
当該反射シールと外観は同じであるが再帰反射機能を有さないダミーシールとを貼付けたものが含まれる。
【００１２】
このカード当てトリック手品用具は、普通のトランプカード等に反射シールとダミーシールとを貼付けたものを前記カードとして用いることができる。
【００１３】
また、本発明のカード当てトリック手品用具には、前記反射領域及び前記ダミー領域が前記カードの裏面のそれ以外の領域と区別できない態様で形成されているものも含まれる。
【００１４】
［カード当てトリック手品用カード］
本発明のカード当てトリック手品用カードは、カード（前記反射領域及び前記ダミー領域が形成されていないカード）の裏面に、再帰反射機能を有する反射シールと、当該反射シールと外観は同じであるが再帰反射機能を有さないダミーシールとを貼付けたものである。
【００１５】
このカード当てトリック手品用カードは、反射領域及びダミー領域が形成されていないカードの裏面に、反射シールとダミーシールとを貼付けたものであるので、普通のトランプカード等を用いて製造できる。
【発明の効果】
【００１６】
本発明の手品用具によれば、手品実演の過程で選択要素をケースに収容する操作を行わないので、選択要素をケースに収納したときに何らかの仕掛けが働いたのだろうという印象を観者に与えることなくトリック手品を行うことができる。また、反射領域が光った選択要素を指摘することにより、選ばれた選択要素を当てることができるので、誰でも簡単にトリック手品を行うことができる。しかも、選択要素を選んだ観者とは別の観者自身等に選択要素を当てる役割を演じさせて手品の不思議さや面白さを増大させることができる。
【図面の簡単な説明】
【００１７】
【図１】本発明に係る手品用具の実演状態を例示する斜視図
【図２】（ａ）〜（ｅ）：カード（選択要素）の表面の形態を例示する平面図  （ｆ）〜（ｊ）：カード（選択要素）の裏面の形態を例示する平面図
【図３】カード当てトリック手品の実演手順の一例を示す説明図
【図４】光源装置を観者の眉間辺りに装着した状態を例示する正面図
【図５】（ａ）〜（ｄ）：カード（選択要素）の別の形態を例示する平面図
【図６】（ａ）：マスターカードの形態を例示する平面図  （ｂ）〜（ｆ）：伝達カード（選択要素）の形態を例示する平面図
【発明を実施するための形態】
【００１８】
以下、本発明の実施の形態を図示例と共に説明する。
［第１の実施形態］
図１は手品用具の実演状態における斜視図である。この手品用具１０は、複数枚（この例では５枚）のカード（選択要素）２１〜２５と、カード２１〜２５の裏面２１ｂ〜２５ｂに光Ｌを照射するための光源装置４０と、カードスタンド５０と、を有する。
カード２１〜２５は、トランプカードを摸したカードすなわち、四隅が丸みを帯びた長方形の同形同寸のカードであり、図２（ｆ）〜（ｊ）に示すように、裏面２１ｂ〜２５ｂには、いかにもトランプカードらしい上下左右対称の同一図柄が印刷されている。
図２（ａ）〜（ｅ）に示すように、カード２１〜２５の表面２１ａ〜２５ａには、各々異なる記号、図柄、写真、等が記載されている。この例では、カード２１〜２５の順に、「いいお友達でいましょう（０％）」、「ふつうです（２０％）」、「ちょっといいかも（５０％）」、「大好き！（８０％）」、「愛してる！（１００％）」という有意文字列（好感度を示す数値（％）及びハート記号を含む）が印刷により記載されている。
【００１９】
各カード２１〜２５の裏面２１ｂ〜２５ｂには各々反射領域３１とダミー領域３２とが形成されている。反射領域３１は、カード２１〜２５の上端近傍に形成されている。ダミー領域３２は、カード２１〜２５の下端近傍に形成されている。反射領域３１とダミー領域３２は、カード２１〜２５を上下逆転させたときに互いの元の位置と重なる位置に形成されている。
反射領域３１は入射した光をその光が入射した向きとは逆向きに反射する再帰反射機能を有する領域である。
ダミー領域３２は、反射領域３１と外観は同じであるが再帰反射機能を有さない領域である。
【００２０】
カード２１〜２５は、反射領域３１及びダミー領域３２が形成されていないカードの裏面２１ｂ〜２５ｂに、再帰反射機能を有する円形の反射シール５１と、反射シール５１と外観は同じであるが再帰反射機能を有さないダミーシール５２とを貼付けたものである。
【００２１】
光源装置４０は、白色の本体４１と、本体４１の前面部に設けられた赤色（波長660ｎｍ）のＬＥＤ（Light Emitting Diode）４２とを有する。本体４１は、人の目の形を摸した横長のドーム形状に形成されている。ＬＥＤ４２は、本体４１の前面部の中央部に設けられている。本体４１の内部には、ＬＥＤ４２を点滅発光させる駆動回路とその電力源となる電池（ボタン形電池）が収容され、側部の目立たない位置に、駆動回路をオン／オフするためのスイッチ４３が設けられている。また、本体４１の裏面部には、粘着層４４が設けられている。粘着層４４の表面はカバーシート４５で覆われている。
【００２２】
カードスタンド５０は、カード２１〜２５の下端部を狭持するスリットを全長に亘って有する狭持部５１と、狭持部５１の下端に一体化した座部５２とを有し、狭持部５１にカード２１〜２５の下端部を挟み込むことにより、これら５枚のカード２１〜２５を少しずつ重ねた状態で横並びに並べて保持できるように構成されている。カードスタンド５０は不透明の樹脂でできているため、カード２１〜２５がカードスタンド５０に保持されているとき、カード２１〜２５の下側に位置する反射領域３１及びダミー領域３２は視認できない。したがって、この状態でカード２１〜２５の裏面２１ｂ〜２５ｂに光源装置４０からの光Ｌを照射すると、全ての反射領域３１及びダミー領域３２のうち、カード２１〜２５の上側に位置する反射領域３１及びダミー領域３２にのみ光Ｌが照射されることになる。
【００２３】
この手品用具１０によるカード当てトリック手品は、１人の演者と少なくとも２人の観者が参加して行われる。
以下、この手品用具１０を用いて手品を実演する手順の一例について、図３を用いて説明する。
演者は、先ず図３（ａ）に示すように、観者のうちの１人（以下この観者を「カード選び役の観者」とする。）に５枚のカード２１〜２５の表面２１ａ〜２５ａを見せ、その中からその場所にいる特定の別の観者（以下この観者を「カード当て役の観者」とする。）に対する思いを表した言葉が記載されている１枚のカードを選んでもらう（前記ステップ１）。このとき選ばれたカードの内容を知っているのは、そのカードを選んだ本人すなわちカード選び役の観者のみであり、演者がカードの内容を把握しておく必要はない。
カード２１〜２５の表面２１ａ〜２５ａには、「いいお友達でいましょう（０％）」、「ふつうです（２０％）」、「ちょっといいかも（５０％）」、「大好き！（８０％）」、「愛してる！（１００％）」といった、人に対する思い（気持ち、心情、印象、等）を表した有意文字列が記載されているので、観者のうちの１人が選び役になり、その場所にいる特定の別の観者に対する思いを表した言葉が記載されている１枚のカードを選ぶことにより、カードを選んだ人が相手のことをどう思っているのかという興味が高まる。多くの場合、最も強く興味を持つのは当該別の観者すなわちカード当て役の観者であろう。
【００２４】
次に演者は、図３（ｂ）に示すように、カード選び役の観者に、その人が選んだカードを抜き取ってもらう。この例では「愛してる！（１００％）」という言葉が記載されたカード２５が選ばれている。
【００２５】
次に演者は、「本当にこのカードで良いですか？」などと確認の言葉をかけながら、図３（ｃ）に示すように、選ばれなかった４枚のカード２１〜２４を観者に気付かれないように上下逆さまにした後、選ばれたカード２５をカード選び役の観者から受け取り、４枚のカード２１〜２４と重ねる。
【００２６】
次に演者は、図３（ｄ）に示すように、５枚のカード２１〜２５を伏せた状態でシャッフルする。
【００２７】
次に演者は、図３（ｅ）に示すように、表面２１ａ〜２５ａが観者側から或いは自分からも見えないようにして５枚のカード２１〜２５をカードスタンド５０に保持させてテーブル上に立て、５枚のカード２１〜２５の裏面２１ｂ〜２５ｂ側を観者側に向ける。このとき、選ばれなかったカード２１〜２４の反射領域３１はカードスタンド５０によって光Ｌが遮断された状態にあり、５枚のカード２１〜２５の反射領域３１のうち、選ばれたカード２５の反射領域３１にのみ光Ｌが照射可能な状態になっている（前記ステップ２）。
【００２８】
次に演者は、光源装置４０をカード当て役の観者に持たせ、「これは第三の目です。眉間の辺りで光らせながらカードを見てください。」といった言葉をかけ、カード当て役の観者に対し、その人の眉間の辺りに光源装置４０を配置して、カード２１〜２５の裏面２１ｂ〜２５ｂに光源装置４０からの光Ｌを照射しながらカードを見るよう促す（前記ステップ３）。光源装置４０の裏面のカバーシート４５を剥がし粘着層４４を露出させれば、粘着層４４の粘着力によって光源装置４０をカード当て役の観者Ｈの眉間の辺りに貼り着けて保持することができる。
図３（ｆ）に示すように、選ばれなかったカード２１〜２４の反射領域３１には光源装置４０からの光Ｌが照射されないため、カード当て役の観者は、選ばれたカード２５の反射領域３１だけが光る（点滅する）のを視認する。反射領域３１からの光を認識できるのはカード当て役の観者だけであり、その他の者は演者も含めて誰も認識できない。
演者は、すかさずカード当て役の観者に対し「○○さんが選んだカードはどれですか？」と言葉をかける。
カード当て役の観者は、反射領域３１が光ったカード２５を指摘する（前記ステップ４）。
【００２９】
演者は、カード当て役の観者が指摘したカード２５を抜き取って、その表面２５ａを観者全員に見せるともに、そのカード２５ａが確かに自分が選んだカードであることをカード選び役の観者に確認してもらう（前記ステップ５）。
【００３０】
このように、本発明の手品用具１０によれば、手品実演の過程でカード２１〜２５をケースに収納してから取り出す操作を行う必要がない。このため、従来の手品用具のように、カードをケースに収納したときに何らかの仕掛けが働いたのだろうという印象を観者に与えてしまうことはない。また、カードを選んだ観者とは別の観者自身にカード当ての役割を演じさせて手品の不思議さや面白さを増大させることができる。
【００３１】
なお、上記の例では、カード２１〜２５として、カードの裏面２１ｂ〜２５ｂに、反射シール５１及びダミーシール５２を貼付けたものを使用しているが、反射領域３１及びダミー領域３２を印刷により形成したカード２１〜２５を使用してもよい。
【００３２】
また、上記の例では、反射領域３１及びダミー領域３２がカード２１〜２５の裏面２１ｂ〜２５ｂのそれ以外の領域と明確に区別できるデザインになっているが、反射領域３１及びダミー領域３２がそれ以外の領域と区別しにくい態様で形成されていてもよい。反射領域３１がカード２１〜２５の裏面２１ｂ〜２５ｂのそれ以外の領域と区別できない態様で形成されている場合、ダミー領域３２を別途形成する必要はない。つまりダミー領域３２は事実上省略可能である。
【００３３】
また、上記の例では、カード２１〜２５の表面２１ａ〜２５ａに文字情報が記載されているが、文字情報の代わりに事物の図柄や写真を記載してもよい。また、表面が無地（白紙）のカードを使用し、手品を実演するその場で、カードの表面に手書きにより言葉や事物の図柄を記載してもよい。表面が無地のカードを使用することにより、例えば、その場にいる人の名前や、職場の上司の名前を各カードに記載し、観者の一人に好きな人或いは嫌いな人のカード選んでもらうなどして様々な趣向のカード当てトリック手品を楽しむことができる。
【００３４】
また、上記の例では、光源装置４０が赤色のＬＥＤ４２を備えているが、青色、緑色などその他の単色光源を備えたものを使用してもよい。また、複数色、例えば赤、青、緑の３色のＬＥＤを備え、何れか一つを選択的に発光させたり、複数の光源を同時に発光させたりすることができるように光源装置４０を構成してもよい。この構成によれば、カード当てトリック手品を実演する部屋の明るさや照明の色などに応じて、反射領域３１からの反射光を判別しやすい最適の発光色を選択することができる。
【００３５】
また、上記の例では、光源装置４０をカード当て役の観者の眉間辺りに貼り着けて使用できるように構成したが、光源装置４０を眼鏡のブリッジ部に取り付けるようにしてもよい。また、光源装置４０をそのブリッジ部に搭載した眼鏡型装着具を用意しておき、これをカード当て役の観者が装着してカード当てを行うようにしてもよい。
【００３６】
また、上記の例では、カード２１〜２５がカードスタンド５０に保持されているとき、カード２１〜２５の下側に位置する反射領域３１及びダミー領域３２がカードスタンド５０によって隠され視認できない状態になっているが、カードスタンド５０に保持されているときにおいても、カード２１〜２５の下側に位置する反射領域３１及びダミー領域３２を視認可能とし、その代わりに、カード２１〜２５の向きや姿勢によって、光源装置４０を保持した者だけが反射領域３１からの反射光を認識できるようにしてもよい。
【００３７】
［第２の実施形態］
図５は本発明に係る手品用具の別の実施形態を示している。この手品用具６０は、複数（この例では４枚）のカード（選択要素）７１〜７４と、第１の実施形態と同様の光源装置４０とからなる。４枚のカード（選択要素）７１〜７４は全て外見上は同じでありながら、反射領域３１を有している１枚のカード７１と、反射領域３１を有していない３枚の７２〜７４とからなり、光源装置４０を保持した者だけが反射領域３１からの反射光を認識できるように構成されている。
４枚のカード７１〜７４は、全て同じ位置（この例ではカードの中心）にダミー領域３１を有している。反射領域３１は、カード７１のダミー領域３１に反射シール５１を貼り着けることにより形成される。
【００３８】
この手品用具６０によれば、観者が選んだカードのダミー領域３２に助手が反射シール５１をこっそり貼り、演者が光源装置４０を保持して４枚のカード７１〜７４を観察し、反射シール５１が光ったカードを指摘する、といったカード当てトリック手品を演じることができる。演者の代わりに、カード選び役の観者とは別の観者に光源装置４０を保持させれば、当該別の観者自身にカードを当ててもらうことができる。
【００３９】
［第３の実施形態］
図６は本発明に係る手品用具の更に別の実施形態を示している。この手品用具７０は、１枚のマスターカード８１と、複数（この例では５枚）の伝達カード（選択要素）９１〜９５と、第１の実施形態と同様の光源装置４０とからなる。
マスターカード８１には、いろいろな言葉（この例では、１：花、２：虫、３：鳥、４：木、５：魚）が記載されている。伝達カード９１〜９５の表面には、マスターカード８１に記載されている５つの言葉に対応する５つの絵柄と各絵柄の番号（「１」〜「５」）が記載されている。５枚の伝達カード９１〜９５は全て外見上は同じであるが、各カード９１〜９５ごとに異なる１つの絵柄の番号（「１」〜「５」）部分が反射領域３１になっている。
【００４０】
この手品用具７０によれば、伝達カード９１〜９５を全て助手がポケット等に隠し持っておき、マスターカード８１に記載されている言葉の中の１つを観者から助手にこっそり伝えてもらい、その言葉の番号が反射領域３１になっている伝達カードだけを助手がポケット等から取り出し、その伝達カードの表面を光源装置４０を保持した演者又は観者が見て、反射領域３１が光った番号の絵柄を指摘する、といった事物当てトリック手品を演じることができる。
【００４１】
なお、上記の例では、絵柄の番号部分が反射領域３１になっているが、絵柄部分を反射領域３１にしてもよい。
【符号の説明】
【００４２】
１０：手品用具（カード当てトリック手品用具）
２１〜２５：カード（選択要素）
２１ａ〜２５ａ：表面
２１ｂ〜２５ｂ：裏面
３１：反射領域
３２：ダミー領域
４０：光源装置
５０：カードスタンド
５１：反射シール
５２：ダミーシール
７１〜７４  カード（選択要素）
９１〜９５  伝達カード（選択要素）
Ｌ：光
【図１】
2013000194.tif 000003
【図２】
2013000194.tif 000004
【図３】
2013000194.tif 000005
【図４】
2013000194.tif 000006
【図５】
2013000194.tif 000007
【図６】
2013000194.tif 000008